(57)【要約】      （修正有）【課題】浴槽などの水を貯留した貯水容器中で用いることのできる炭酸ガス噴出装置を提供する。【解決手段】炭酸ガス噴出装置は、貯蔵容器に貯蔵された炭酸ガスが噴出するものであって、貯蔵容器の開口部に着脱可能な取付部１と、取付部１に接続され、貯蔵容器から炭酸ガスが供給される流路部２と、流路部２を介して貯蔵容器から供給された炭酸ガスを噴出するガス噴出部３と、を備える。【選択図】図１
0003203285.tif 000002
【実用新案登録請求の範囲】
【請求項１】
貯蔵容器に貯蔵された炭酸ガスが噴出する炭酸ガス噴出装置であって、
前記貯蔵容器の開口部に着脱可能な取付部と、
前記取付部に接続され、前記貯蔵容器から炭酸ガスが供給される流路部と、
前記流路部を介して前記貯蔵容器から供給された炭酸ガスを噴出するガス噴出部と、
を備えることを特徴とする炭酸ガス噴出装置。
【請求項２】
前記ガス噴出部は、可撓性の合成樹脂からなることを特徴とする請求項１に記載の炭酸ガス噴出装置。
【請求項３】
前記ガス噴出部は、非可撓性の硬質合成樹脂、金属又はセラミックスからなることを特徴とする請求項１に記載の炭酸ガス噴出装置。
【請求項４】
前記取付部は、異なる開口寸法の前記開口部に対応して着脱可能に構成された取付口を備えることを特徴とする請求項１〜３のいずれかに記載の炭酸ガス噴出装置。
【請求項５】
前記ガス噴出部は、炭酸ガスを噴出する複数のガス噴出小孔が形成されていることを特徴とする請求項１〜４のいずれかに記載の炭酸ガス噴出装置。
【請求項６】
前記ガス噴出部は、弾性変形可能な素材からなり、任意の形状に変形させた状態を保持する形状保持部を少なくとも一部に備えることを特徴とする請求項１〜５のいずれかに記載の炭酸ガス噴出装置。
【請求項７】
前記ガス噴出部は、複数に分岐した前記流路部に設けられることを特徴とする請求項１〜６のいずれかに記載の炭酸ガス噴出装置。
【考案の詳細な説明】
【技術分野】
【０００１】  本考案は、浴槽などの水を貯留した貯水容器で用いることのできる炭酸ガス噴出装置に関する。
【背景技術】
【０００２】  従来、健康や美容のために、ガスボンベなどの貯蔵容器に貯蔵された炭酸ガスを家庭などの浴槽内に噴出させて炭酸泉を楽しむことが知られている。【０００３】  特許文献１には、炭酸ガスを充填したボンベと、レギュレータ（減圧弁）と、浴槽内に配置した泡噴出し部と、を備え、浴槽水中に炭酸ガスを供給して温浴効果を得られるものが開示されている。
【先行技術文献】
【特許文献】
【０００４】
【特許文献１】特開２００５−３１２７７８
【考案の概要】
【考案が解決しようとする課題】
【０００５】  しかしながら、炭酸ガスの貯蔵容器は、炭酸ガスの容量に応じた様々なサイズの貯蔵容器があり、貯蔵容器のサイズに応じて開口部の寸法も異なるため、特許文献１のような噴出装置では、開口部の寸法に応じて複数の取付部を設ける必要があった。
本考案は、上述した技術背景に鑑み、浴槽などの水を貯留した貯水容器中で用いられる、より汎用性の高い炭酸ガス噴出装置の提供を目的とする。
【課題を解決するための手段】
【０００６】  本考案は、上述した技術背景に鑑み、浴槽などの水を貯留した貯水容器中で用いられる、より汎用性の高い炭酸ガス噴出装置の提供を目的とする。【０００７】  即ち、本考案は下記［１］〜［７］に記載の構成を有する。【０００８】  ［１］  貯蔵容器に貯蔵された炭酸ガスが噴出する炭酸ガス噴出装置であって、
前記貯蔵容器の開口部に着脱可能な取付部と、
前記取付部に接続され、前記貯蔵容器から炭酸ガスが供給される流路部と、
前記流路部を介して前記貯蔵容器から供給された炭酸ガスを噴出するガス噴出部と、
を備えることを特徴とする炭酸ガス噴出装置。【０００９】  ［２］  前記ガス噴出部は、可撓性の合成樹脂からなることを特徴とする前項１に記載の炭酸ガス噴出装置。【００１０】  ［３］  前記ガス噴出部は、非可撓性の硬質合成樹脂、金属又はセラミックスからなることを特徴とする前項１に記載の炭酸ガス噴出装置。【００１１】  ［４］  前記取付部は、異なる開口寸法の前記開口部に対応して着脱可能に構成された取付口を備えることを特徴とする前項１〜３のいずれかに記載の炭酸ガス噴出装置。【００１２】  ［５］  前記ガス噴出部は、炭酸ガスを噴出する複数のガス噴出小孔が形成されていることを特徴とする前項１〜４のいずれかに記載の炭酸ガス噴出装置。【００１３】  ［６］  前記ガス噴出部は、弾性変形可能な素材からなり、任意の形状に変形させた状態を保持する形状保持部を少なくとも一部に備えることを特徴とする前項１〜５のいずれかに記載の炭酸ガス噴出装置。【００１４】  ［７］  前記ガス噴出部は、複数に分岐した前記流路部に設けられることを特徴とする前項１〜６のいずれかに記載の炭酸ガス噴出装置。
【考案の効果】
【００１５】  上記［１］に記載の考案によれば、貯蔵容器に貯蔵された炭酸ガスが噴出する炭酸ガス噴出装置であって、貯蔵容器の開口部に着脱可能な取付部と、取付部に接続され、貯蔵容器から炭酸ガスが供給される流路部と、流路部を介して貯蔵容器から供給された炭酸ガスを噴出するガス噴出部と、を備えるので、貯蔵容器の開口部を取付部に着脱可能に取り付けて、貯蔵容器の炭酸ガスをガス噴出部に供給してガス噴出部から炭酸ガスを噴出させることができる。【００１６】  上記［２］に記載の考案によれば、ガス噴出部は、可撓性の合成樹脂からなるので、ガス噴出部を自由に変形させて用いることができる。【００１７】  上記［３］に記載の考案によれば、ガス噴出部は、非可撓性の硬質合成樹脂、金属又はセラミックスからなるので、任意の位置に配置して用いられる際に、ガス噴出部が予期しない形に変形などすることがないため所期する位置で炭酸ガスを噴出させることができ、また、硬度の高い素材からなるため丈夫である。【００１８】  上記［４］に記載の考案によれば、取付部は、異なる開口寸法の開口部に対応して着脱可能に構成された取付口を備えるので、貯蔵容器の寸法に応じて開口部が異なる開口寸法に設定されている場合であっても、取付部に着脱可能に取り付けることができ、ガス噴出部から炭酸ガスを噴出させることができる。【００１９】  上記［５］に記載の考案によれば、ガス噴出部は、炭酸ガスを噴出する複数のガス噴出小孔が形成されているので、ガスが噴出する複数の小孔から炭酸ガスを細かい気泡として噴出させることができる。【００２０】  上記［６］に記載の考案によれば、ガス噴出部は、弾性変形可能な素材からなり、任意の形状に変形させた状態を保持する形状保持部を少なくとも一部に備えるので、ガス噴出部に形状保持部が設けられることによって、その変形させた状態を保持したまま使用することができるため、使用者は使用状態に適した任意の形状に変形させて炭酸ガスを浴びることができ、使用者が同じ姿勢で長時間使用する場合であっても扱いやすい。【００２１】  上記［７］に記載の考案によれば、ガス噴出部は、複数に分岐した流路部に設けられるので、複数に分岐した流路部のそれぞれで炭酸ガスが供給されて噴出されるため、単一のガス噴出部のみが設けられたものよりも広範囲に渡って炭酸ガスを噴出させることができる。
【図面の簡単な説明】
【００２２】
【図１】本考案に係る炭酸ガス噴出装置に小型ボンベを取り付けた場合の説明図である。
【図２】本考案の炭酸ガス噴出装置に大型ボンベを取り付けた場合の説明図である。
【図３】本考案のガス噴出部の別実施例について説明するための説明図である。
【考案を実施するための形態】
【００２３】  以下、図面を参照して、本考案の実施形態について説明する。
【００２４】  図１は、炭酸ガス噴出装置に小型ボンベを取り付けた場合の説明図、図２は、炭酸ガス噴出装置に大型ボンベを取り付けた場合の説明図、図３は、ガス噴出部６の別実施例について説明するための説明図である。
【００２５】  図１〜３に基づいて、浴槽水中などで好適に用いられる炭酸ガス噴出装置の一例について説明する。
【００２６】  炭酸ガス噴出装置は、主に、浴槽などの水を貯留した貯水容器内で用いられ、この例では、貯蔵容器の開口部に着脱可能な取付部１と、取付部１に接続された流路部２と、炭酸ガスを噴出するガス噴出部３と、を備える。
【００２７】  貯蔵容器には、圧縮された炭酸ガスが貯蔵されており、貯蔵容器内の炭酸ガスは、例えば、０．１ＭＰａに減圧されて、この例では、取付部１、及び可撓性を有するチューブなどからなる流路部２を介して貯蔵容器からガス噴出部３に供給される。
【００２８】  貯蔵容器としては、業務用の大型ガスボンベやカートリッジ式の小型ボンベなどを用いることができる。
【００２９】  取付部１は、流路部２の一方の端部に取り付けられ、貯蔵容器の開口部に着脱可能に構成されている。
【００３０】  取付部１は、開閉バルブ１１と、大型ボンベや小型ボンベなど、貯蔵容器の寸法に応じて異なる開口寸法を有する開口部に対応可能な取付口１２と、流路部２と接続される接続部１３と、図示しない流量調整部と、を備えている。
【００３１】  図１，２に示すように、この例では、取付口１２は、直接、貯蔵容器の開口部が挿嵌されて取り付けられるよう構成されている。
【００３２】  取付口１２は、各開口部の開口寸法に対応して形成された、取付口１２の奥端部に配設されるパッキンを有しており、取付口１２の奥端部にパッキンを配した状態で、貯蔵容器の開口部を取付口１２に挿嵌することにより、貯蔵容器の開口部を取付部１に接続することができるよう構成されている。
【００３３】  取付口１２は、例えば、その内径が最大で２４ｍｍとなるように設定されており、一般的に用いられる小型ボンベの開口寸法（約１６ｍｍ）や大型ボンベの開口寸法（約２４ｍｍ）の何れの開口部にも対応可能に設定されている。
【００３４】  取付部１は、異なる開口寸法の開口部に対応して着脱可能に構成された取付口１２を備えるので、貯蔵容器の寸法に応じて開口部が異なる開口寸法に設定されている場合であっても、取付部１に着脱可能に取り付けることができ、ガス噴出部３から炭酸ガスを噴出させることができる。
【００３５】  更に、取付部１には、流路部２の継手部２１に接続可能に構成された接続部１３が設けられている。
【００３６】  取付部１に貯蔵容器の開口部及び流路部２の接続部１３が接続されることにより、貯蔵容器内の炭酸ガスが流路部２に供給される。
【００３７】  開閉バルブ１１は、取付部１が、貯蔵容器の開口部と接続され且つ流路部２と接続された状態で開閉操作されことにより流体の流路を開閉するものであり、開閉バルブ１１を開操作することで貯蔵容器から炭酸ガスが供給され、開閉バルブ１１を閉操作することで炭酸ガスの供給が停止するよう構成されている。
【００３８】  流量調整部は、例えば、供給されるガスの圧力を調整するレギュレータ（減圧弁）などが用いられて構成され、貯蔵容器内の炭酸ガスが、０．１ＭＰａに減圧されてガス噴出部３に供給される。
【００３９】  この例では、流量調整部は、表示部１４を備え、レギュレータにより減圧調整されて供給された炭酸ガスの計測値（例えば、圧力値など）が表示される。
【００４０】  流量調整部に表示部１４を備えることにより、炭酸ガス噴出装置の使用者は、実際に供給されている炭酸ガスの計測値を確認しながら使用することができるため好ましい。
【００４１】  貯蔵容器から供給される炭酸ガスの流量を調整する流量調整部を備えることにより、貯蔵容器から供給される炭酸ガスの流量が調整され、炭酸ガスが適切な流量でガス噴出部３から噴出されるようになる。
【００４２】  ガス噴出部３は、例えば、取付部１に取り付けられた可撓性を有する流路部２と連結されてなり、当該流路部２には、炭酸ガスを噴出する複数のガス噴出小孔３１が形成されている。
【００４３】  ガス噴出小孔３１は、細かい気泡が噴出するように小径の孔が形成されてなる。
【００４４】  ガス噴出部３は、例えば、多数のガス噴出小孔３１が形成されることによって、１分間の吐出量が１．０Ｌ〜２．５Ｌとなるように構成されている。
【００４５】  ガス噴出部３は、炭酸ガスを噴出する複数のガス噴出小孔３１が形成されているので、ガスが噴出する複数の小孔３１から炭酸ガスを細かい気泡として噴出させることができる。
【００４６】  また、水が貯溜された貯水容器内で炭酸ガス噴出装置を使用する際、ガス噴出小孔３１から細かい気泡が噴出するため、炭酸ガスが溶解し易くなる。
【００４７】  ガス噴出部３の素材としては、この例では、ポリ塩化ビニル（ＰＶＣ）などの合成樹脂など、可撓性を有する素材が採用されている。
【００４８】  ガス噴出部３は、可撓性の合成樹脂からなるので、ガス噴出部３を自由に変形させて用いることができる。
【００４９】  ガス噴出部３は、少なくともその一部に、弾性変形可能な素材からなる、任意の形状に変形させた状態を保持する形状保持部４を備えて構成されるとより好ましい。
【００５０】  形状保持部４の素材としては、例えば、ワイヤーや針金などの弾性変形可能な線状部材などが好適に用いられる。
【００５１】  ガス噴出部３は、弾性変形可能な素材からなり、任意の形状に変形させた状態を保持する形状保持部４を少なくとも一部に備えるので、ガス噴出部３に形状保持部４が設けられることによって、その変形させた状態を保持したまま使用することができるため、使用者は使用状態に適した任意の形状に変形させて炭酸ガスを浴びることができ、使用者が同じ姿勢で長時間使用する場合であっても扱いやすい。
【００５２】  尚、ガス噴出部３に設けられる形状保持部４は、上述したように、少なくともガス噴出部３の一部に用いられるのであってもよいし、ガス噴出部３の全体が形状保持部４で構成されるのであってもよく、また、形状保持部４を備えない構成とするのであってもよい。
【００５３】  流量調整部とガス噴出部３との間には、逆止弁が設けられており、逆止弁としては既知のものが適宜採用可能である。
【００５４】  流量調整部とガス噴出部３との間には、逆止弁が設けられるので、貯蔵容器から流出した炭酸ガスが逆流することも、ガス噴出部３から流入するなどした気体などが逆流するようなこともない。
【００５５】  以下では、上述した炭酸ガス噴出装置の使用方法について説明する。
【００５６】  貯蔵容器として小型ボンベを用いる場合には、取付部１の取付口１２に小型ボンベに対応したパッキンを配した状態で、取付部１の取付口１２に小型ボンベの開口部を挿嵌して接続させる。
【００５７】  一方、貯蔵容器として大型ボンベが用いられる場合には、取付部１の取付口１２に大型ボンベに対応したパッキンを配し、この状態で取付部１の取付口１２に大型ボンベの開口部を挿嵌させて取り付ける。
【００５８】  貯蔵容器が取付部１に取り付けられた状態で、取付部１の接続部１３に流路部２の継手部２１を取り付けて両者を接続する。
【００５９】  貯蔵容器、取付部１及び流路部２がそれぞれ接続された状態で、開閉バルブ１１を開操作することにより、貯蔵容器に貯蔵された炭酸ガスが流路部２に供給されるようになる。
【００６０】  流路部２の炭酸ガスは、ガス噴出部３に供給され、ガス噴出小孔３１から細かい気泡が噴出する。
【００６１】  尚、貯蔵容器として小型ボンベが使用される際には、小型ボンベに取付部１、流路部２及びガス噴出部３が取り付けられた状態で、水を溜めた貯水容器に浸水させて使用するのであってもよい。
【００６２】  一方、大型ボンベが使用される際には、取付部１に取り付けられた流路部２及びガス噴出部３のみを貯水容器に浸水させて使用するとよい。
【００６３】  ガス噴出部３から炭酸ガスの噴出を停止させる場合には、開閉バルブ１１を閉操作して炭酸ガスの流路部２への供給を停止させる。
【００６４】  上述のように構成することにより、小型ボンベを取付部１に取り付けた場合には、浴槽などの貯水容器内に炭酸ガス噴出装置を浸水させた状態でも使用することができる。
【００６５】上述したように、ガス噴出部３が合成樹脂などの可撓性を有する素材からなるものが用いられることがより好ましいが、ガス噴出部３の素材は特に限定されるものではなく、硬度の高い合成樹脂などが採用されるのであってもよいし、弾性変形可能或いは弾性変形不可能な金属製のものが採用されるのであってもよい。
【００６６】  ガス噴出部３が非可撓性の硬質合成樹脂、金属またはセラミックス等からなる構成であれば、炭酸ガス噴出装置を任意の位置に配置して用いる際に、ガス噴出部３が予期しない形に変形などすることがないため、所期する位置で炭酸ガスを噴出させることができ、また、硬度の高い素材からなるため丈夫である。
【００６７】  ガス噴出部３は、上述した構成に限定されるものではなく、上述した以外の構成であってもよい。
【００６８】  例えば、ガス噴出部３は、噴出するガスの流量を制御するための流量制御部を有して構成されているのであってもよい。
【００６９】  具体例として、流量制御部は、噴出する炭酸ガスの流量を制御することのできる、例えば、オリフィスが用いられ、ガス噴出部３を構成する流路部２に設ける。
【００７０】  より好ましくは、流量制御部は、更に、炭酸ガスの噴出量を可変に設定できる操作部を備え、炭酸ガス噴出装置の使用者が、操作部を操作することで炭酸ガスの噴出量を調整して、ガス噴出部３から噴出する炭酸ガスの流量を微調整できるよう構成してもよい。
【００７１】  ガス噴出部３が、噴出するガスの流量を制御するための流量制御部を有するよう構成すれば、流量制御部によって、更に噴出させる炭酸ガスの流量を制御することができ、より適切な流量でガス噴出部３から炭酸ガスを噴出させることができる。
【００７２】  炭酸ガス噴出装置が、流量調整部及び流量制御部の両方を備えて構成されていれば、ガス噴出部３から噴出される炭酸ガスの流量をより適切に調整することができるため好ましい。
【００７３】  また、図３に示すように、ガス噴出部６が、複数の流路部５に分岐した構成とするのであってもよく、例えば、ガス噴出部６は、上述と同様に、流路部５とガス噴出部６を備え、流路部５は、取付部１に接続される継手部５１を有し、ガス噴出部６が、複数に分岐した流路部５のそれぞれにガス噴出小孔６１を有する構成とすればよい。
【００７４】  ガス噴出部６は、複数に分岐した流路部５に設けられるので、複数に分岐した流路部５のそれぞれで炭酸ガスが供給されて噴出されるため、単一のガス噴出部３のみが設けられたものよりも広範囲に渡って炭酸ガスを噴出させることができる。
【００７５】  尚、複数に分岐した流路部５を有するガス噴出部６は、そのそれぞれの流路部５が異なる長さ寸法となるように設定されるのであってもよいし、複数の流路部５の一部或いは全てに形状保持部４が設けられるように構成するのであってもよい。
【００７６】  また、上述では、１つの取付口１２によって大型ボンベ及び小型ボンベの何れの開口部にも対応可能に構成された取付部１として説明したが、取付部１は、少なくとも異なる開口部寸法を有する貯蔵容器の開口部が個別に取付可能に構成されるのであってもよい。
【００７７】  例えば、取付部１が、小型ボンベ及び大型ボンベの開口部の開口寸法にそれぞれ対応する複数の取付口１２を有するように構成されるのであってもよい。
【００７８】  また、例えば、取付部１の取付口１２が小型ボンベの開口部の開口寸法に対応するように設定され、これとは別に、大型ボンベの開口部に取り付けるための継手口を有する中継流路部を備えた構成とするのであってもよい。
【００７９】  具体的には、継手口を有する中継流路部は、大型ボンベの開口部に取付可能な取付口を一端部に有し、他端部に取付部１の取付口１２に対応した継手口を有し、当該中継流路部の取付口が大型ボンベの開口部に取り付けられ、中継流路部の継手口が取付部１の取付口１２に取り付けられることにより、中継流路部を介して貯蔵容器である大型ボンベと取付部１が接続され、炭酸ガスが供給されるよう構成すればよい。
【００８０】  炭酸ガス噴出装置の構成は上述の構成に限定されるものではなく、少なくとも貯蔵容器と、取付部１及びガス噴出部３，６と、を備えた構成であれば、特に限定されるものではない。
【００８１】  以上説明した取付部１には、異なる開口寸法の開口部に対応して構成された取付口１２が備えられるよう説明したが、取付部１が継手部２１を備える構成であってもよい。
【００８２】  例えば、継手部２１は、異なる開口寸法の開口部に対応した寸法を有する複数の取付口１２を備えて構成され、貯蔵容器の開口部の開口寸法に応じて、継手部２１の取付口１２を適切に選択して接続するようにすればよい。
【００８３】  以上説明したような炭酸ガス噴出装置は、貯蔵容器に貯蔵された炭酸ガスが噴出するものであって、貯蔵容器の開口部に着脱可能な取付部１と、取付部１に接続され、貯蔵容器から炭酸ガスが供給される流路部２，５と、流路部２，５を介して貯蔵容器から供給された炭酸ガスを噴出するガス噴出部３，６と、を備えるので、貯蔵容器の開口部を取付部１に着脱可能に取り付けて、貯蔵容器の炭酸ガスをガス噴出部３，６に供給してガス噴出部３，６から炭酸ガスを噴出させることができる。
【００８４】  以上説明した実施形態は、本考案の一例に過ぎず、本考案の作用効果を奏する範囲において具体的構成などを適宜変更設計できることは言うまでもない。
【産業上の利用可能性】
【００８５】  本考案は、浴槽などの水を貯留した貯水容器内で用いられる点で、産業上の利用可能性を示す。
【符号の説明】
【００８６】１…取付部
２…流路部
３…ガス噴出部
４…形状保持部
５…流路部
６…ガス噴出部
３１…ガス噴出小孔
６１…ガス噴出小孔
【図１】
0003203285.tif 000003
【図２】
0003203285.tif 000004
【図３】
0003203285.tif 000005